(57)【要約】【課題】ターミナル基板が接着されたターミナル部を有するフレームと、該フレームの内側に装着された磁気回路部材と、該磁気回路部材の磁気ギャップ部に配されたボイスコイルと、該ボイスコイルに結合され、周縁が前記フレームの前面側に固定されたダイヤフラムと、前面側に向けて開口した主放音孔を有し、前記ダイヤフラムの前面側に配されると共に周縁が前記フレームの前面側に固定されたカバーとを備えるスピーカにおいて、周波数特性改善し、音質の優れたスピーカを提供する。【解決手段】前記フレームのターミナル部を除く領域に、該フレームの背面側に向けて開口した第１の補助放音孔を設け、前記フレームのターミナル部に、該フレームの側面側に向けて開口した第２の補助放音孔を設ける。【選択図】　　図１
2004147125.tif 000002
【特許請求の範囲】
【請求項１】
ターミナル基板が接着されたターミナル部を有するフレームと、該フレームの内側に装着された磁気回路部材と、該磁気回路部材の磁気ギャップ部に配されたボイスコイルと、該ボイスコイルに結合され、周縁が前記フレームの前面側に固定されたダイヤフラムと、前面側に向けて開口した主放音孔を有し、前記ダイヤフラムの前面側に配されると共に周縁が前記フレームの前面側に固定されたカバーとを備えるスピーカにおいて、
前記フレームのターミナル部を除く領域に、該フレームの背面側に向けて開口した第１の補助放音孔を設け、
前記フレームのターミナル部に、該フレームの側面側に向けて開口した第２の補助放音孔を設けたことを特徴とするスピーカ。
【請求項２】
前記フレームの側面に、該フレームを外部機材に取り付けるためのリブを設け、
前記フレームのターミナル部及びリブ形成部を除く領域に、前記第１の補助放音孔を設けたことを特徴とする請求項１記載のスピーカ。
【請求項３】
前記第２の補助放音孔は、前記フレームのターミナル部の背面側に設けた溝を前記ターミナル基板にて覆うことにより形成された側方孔と、前記溝の背面側から前記フレームの前面側に貫通する垂直孔とにより構成されることを特徴とする請求項１又は２記載のスピーカ。
【発明の詳細な説明】
【０００１】
【発明の属する技術分野】本発明は各種移動通信機器に用いられるスピーカに関する。
【０００２】
【従来の技術】近年、携帯電話、ＰＤＡ等の携帯端末においては、小型化、薄型化が急速に進んでいる。また同時に、携帯端末に搭載される部品に対しては形状等の制約が大きくなっておりスピーカにおいても例外ではない。
【０００３】
従来ある各種移動通信機器に用いられるスピーカの構成として図３に示すようなものが知られている。
【０００４】
このスピーカは、ターミナル基板２２が接着されたターミナル２部を有するフレーム１（枠体）と、該フレーム１の内側に装着されたポールピース３１、マグネット３２、ヨーク３３からなる磁気回路部材３と、該磁気回路部材３の磁気ギャップ部に配されたボイスコイル４と、該ボイスコイル４に結合され、周縁が前記フレーム１の前面側に固定されたダイヤフラム５（振動版）と、前面側に向けて開口した主放音孔６１を有し、前記ダイヤフラム５の前面側に配されると共に周縁が前記フレーム１の前面側に固定されたカバー６からなる。前記フレーム１のターミナル部２を除く領域には、該フレーム１の背面側に向けて開口した第１の補助放音孔１１を設けてある。
【０００５】
前記ボイスコイル４の引出し線の両端は、フレーム１の周縁に設けられた、プリント回路基板等から構成された端子を接着するターミナル部２に電気的に接続されている。前記ボイスコイル４には音響機器の音声出力端子から出力された音声信号がターミナル部１を介して入力され、ボイスコイル４が駆動してダイヤフラム５が振動し、音波が放出されるものである。
【０００６】
前記従来のスピーカは、小型化が進むにつれ、フレームに対するターミナル部の割合が高くなってきており、前記フレームのターミナル部にはターミナル基板があるため、該フレームの背面側方向には第１の補助放音孔を設けることができず、フレームに設ける第１の補助放音孔が不均等な配置になってしまい、前記ダイヤフラムの振動による空気の流入が均等にならない。そのためローリング（横揺れ）現象等により、最低共振周波数の低減、及び特定の周波数において音圧の低下が起こる等の問題がある。
【０００７】
これを解決する手段として、前記ダイヤフラムの前面側に配されるカバーに設ける主放音孔を前記ターミナル部側に偏るように設ける方法が提案されている（例えば特許文献１）。
【０００８】
上記手段は、カバー側から入り込む空気を不均等にし、フレーム側から入り込む不均等な空気とのバランスをとり、ダイヤフラムの振動を歪みの抑制された上下運動に補正し、ローリング現象等の異常音を低減するものである。
【０００９】
【特許文献１】
特開２００２−１６５２９１号公報（第２頁、第１図）
【００１０】
【発明が解決しようとする課題】
上記のように従来のスピーカは小型化が進むことにより、フレームに対するターミナル部の割合が高くなりフレームに設ける第１の補助放音孔が不均等な配置になってしまう。そのため前記ダイヤフラムの振動による空気の流入が均等にならず、ダイヤフラムが均等に振動せず、特定の周波数において音圧の低下が起こる等の問題がある。
【００１１】
また、上記従来のスピーカの前記フレームの側面に、該フレームを外部機材に取り付けるためのリブを設けたスピーカにおいては、リブ形成部に第１の補助放音孔を設けることができず、該第１の補助放音孔がさらに不均等な配置になってしまうため、上記の特許文献１の方法では、高い効果が得られないという問題がある。
【００１２】
そこで本発明はフレーム周縁部に均等に第１の補助放音孔を設けることのできないスピーカの周波数特性を改善し、音質の優れたスピーカを提供するものである。
【００１３】
【課題を解決するための手段】
本発明はターミナル基板が接着されたターミナル部を有するフレームと、該フレームの内側に装着された磁気回路部材と、該磁気回路部材の磁気ギャップ部に配されたボイスコイルと、該ボイスコイルに結合され、周縁が前記フレームの前面側に固定されたダイヤフラムと、前面側に向けて開口した主放音孔を有し、前記ダイヤフラムの前面側に配されると共に周縁が前記フレームの前面側に固定されたカバーとを備えるスピーカにおいて、
前記フレームのターミナル部を除く領域に、該フレームの背面側に向けて開口した第１の補助放音孔を設け、前記フレームのターミナル部に、該フレームの側面側に向けて開口した第２の補助放音孔を設けたことを特徴とする。
【００１４】
上記発明の構成により、小型化が進み均等に第１の補助放音孔を設けることのできないスピーカの周波数特性を改善することができる。
【００１５】
また、前記フレームの側面に、該フレームを外部機材に取り付けるためのリブを設け、該リブ形成部に第１の補助放音孔を設けることができず、該第１の補助放音孔がさらに不均等な配置になってしまうスピーカにおいては特に効果が大きい。
【００１６】
【発明の実施の形態】
本発明の一実施例として図１及び図２を用いて説明する。
（実施例）図１に示すようにターミナル基板２２が接着されたターミナル部２を有するフレーム１と、該フレーム１の内側に装着されたポールピース３１、マグネット３２、ヨーク３３からなる磁気回路部材３と、該磁気回路部材３の磁気ギャップ部に配されたボイスコイル４と、該ボイスコイル４に結合され、周縁が前記フレーム１の前面側に固定されたダイヤフラム５と、前面側に向けて開口した主放音孔６１を有し、前記ダイヤフラム５の前面側に配されると共に周縁が前記フレーム１の前面側に固定されたカバー６で構成されている。
【００１７】
前記フレーム１の側面に、該フレーム１を外部機材に取り付けるためのリブ７が設けており、該フレーム１のターミナル部２及び該リブ７形成部を除く領域に、該フレーム１の背面側に向けて開口した第１の補助放音孔１１が設けてある。
【００１８】
また、図２に示すように前記フレームのターミナル部の背面側に設けた溝を前記ターミナル基板２２により覆うことにより形成された側方孔１２ａと、前記溝の背面側から前記フレームの前面側に貫通する垂直孔１２ｂとにより構成される第２の補助放音孔１２を設けた。
（従来例）図４に示すようにターミナル部に第２の補助放音孔が設けられていないこと以外は実施例と同じ構成のスピーカを製作した。
【００１９】
実施例及び従来例の周波数特性を測定したものを図５及び図６に示す。
【００２０】
図５及び図６から分かるように、従来例ではカバーに設けられた主放音孔から入り込む空気とフレームに設けられた第１の補助放音孔から入り込む空気が不均等なため、音圧の低下が５０００〜１００００Ｈｚの区間で起こっているのに対し、本発明の実施例では低下していた音圧が改善されていることが分かる。
【００２１】
これは本発明による、前記フレームのターミナル部に、該フレームの側面側に向けて開口した第２の補助放音孔を設けたことにより、カバーに設けられた主放音孔から入り込む空気と、フレームに設けられた第１の補助放音孔及び第２の補助放音孔から入り込む空気のバランスを取ることにより、ダイヤフラムでの歪を抑制できるためだと考えられる。
【００２２】
また前記溝の背面側から前記フレームの前面側に貫通する垂直孔の大きさ、形状及び前記溝の形状を変化させることによって、第２の補助放音孔から入り込む空気の微調整を行うことができる。図６はその一例図である。
【００２３】
また、本発明の技術と特許文献１記載のカバーに不均等な音孔を設ける技術を組み合わせることにより、さらに周波数特性を改善することができる。
【００２４】
【発明の効果】
ターミナル基板が接着されたターミナル部を有するフレームと、該フレームの内側に装着された磁気回路部材と、該磁気回路部材の磁気ギャップ部に配されたボイスコイルと、該ボイスコイルに結合され、周縁が前記フレームの前面側に固定されたダイヤフラムと、前面側に向けて開口した主放音孔を有し、前記ダイヤフラムの前面側に配されると共に周縁が前記フレームの前面側に固定されたカバーとを備えるスピーカにおいて、
スピーカ装置の周波数特性を改善することができ、小型化と音質の両方のニーズに答えることができる。
【図面の簡単な説明】
【図１】（ａ）本発明によるスピーカの一実施例の形態の前面図
（ｂ）同断面図
（ｃ）同背面図
（ｄ）同ターミナル部側からの側面図
【図２】（ａ）本発明によるフレームの一実施例の形態の背面図
（ｂ）同ターミナル部側からの側面図
【図３】（ａ）従来のフレームの前面図
（ｂ）同断面図
（ｃ）同背面図
（ｄ）同ターミナル部側からの側面図
【図４】（ａ）比較例のスピーカの背面図
（ｂ）同ターミナル部側からの側面図
【図５】本発明のスピーカの周波数特性図である。
【図６】従来のスピーカの周波数特性図である。
【図７】第２の補助放音孔の形状を変えたフレームの一例の背面図である。
【符号の説明】
１　フレーム
１１　第１の補助放音孔
１２　第２の補助放音孔
１２ａ　側方孔
１２ｂ　垂直孔
２　ターミナル部
２２　ターミナル基板
３　磁気回路部材
３１　ポールピース
３２　マグネット
３３　ヨーク
４　ボイスコイル
５　ダイヤフラム
６　カバー
６１　主放音孔
７　リブ
【図１】
2004147125.tif 000003
【図２】
2004147125.tif 000004
【図３】
2004147125.tif 000005
【図４】
2004147125.tif 000006
【図５】
2004147125.tif 000007
【図６】
2004147125.tif 000008
【図７】
2004147125.tif 000009